(57)【要約】【課題】旋回流の旋回力を活用して接触式の駆動機構を付設することなく簡便な装置構成で被搬送物を非接触状態で浮上させながら搬送する非接触式浮上搬送装置を提供すること。【解決手段】気体からなる旋回流を発生させる旋回流形成部１３０Ａ、１３０Ｂが、被搬送物Ｃを搬送する平坦な搬送路面１１１の路幅方向Ｓで左右相互に離間して一対配設され、旋回流形成部１３０Ａ、１３０Ｂでそれぞれ発生する旋回流の旋回方向が、搬送路面１１１の路幅方向Ｓで相互に逆方向に設定されていることにより、旋回流形成部１３０Ａ、１３０Ｂから順次溢出してくる旋回流を被搬送物Ｃの底面と搬送路面１１１との間隙に介在させて被搬送物Ｃを浮上させるとともに旋回流の旋回力によって生じる搬送力で被搬送物Ｃを搬送する非接触式浮上搬送装置１００。【選択図】図１
2015162487.tif 000002
【特許請求の範囲】
【請求項１】
気体からなる旋回流を発生させる旋回流形成部が被搬送物を搬送する平坦な搬送路面に配設され、前記旋回流形成部から順次溢出してくる旋回流を被搬送物の底面と搬送路面との間隙に介在させて被搬送物を浮上させるとともに前記旋回流の旋回力によって生じる搬送力で被搬送物を搬送する非接触式浮上搬送装置であって、
前記旋回流形成部が、前記搬送路面の路幅方向で左右相互に離間して一対配設され、
前記旋回流形成部でそれぞれ発生する旋回流の旋回方向が、前記搬送路面の路幅方向で相互に逆方向に設定されていることを特徴とする非接触式浮上搬送装置。
【請求項２】
前記旋回流形成部が、前記搬送路面の搬送方向で前後相互に離間して複数配設されているとともに、
前記旋回流形成部でそれぞれ発生する旋回流の旋回方向が、前記搬送路面の搬送方向で相互に同一方向に設定されていることを特徴とする請求項１記載の非接触式浮上搬送装置。
【請求項３】
前記旋回流形成部が、前記搬送路面下に設けられて搬送路面上に開口する有底の周側壁と、該周側壁の接線方向から周側壁で囲繞される旋回形成空間領域内へ前記気体を噴射して旋回流を発生させる気体噴射口とを備えていることを特徴とする請求項１または請求項２記載の非接触式浮上搬送装置。
【請求項４】
前記旋回流形成部から搬送路面と被搬送物との間隙に溢出して過剰に滞留する気体を逃す気体解放孔が、前記搬送路面に分散して配設されていることを特徴とする請求項３記載の非接触式浮上搬送装置。
【請求項５】
前記気体の噴射力を調整する噴射力調整手段が、前記気体噴射口に至る気体経路上に設けられていることを特徴とする請求項３または請求項４に記載の非接触式浮上搬送装置。
【請求項６】
前記搬送路面が、前記搬送方向に向かって上向き傾斜していることを特徴とする請求項５に記載の非接触式浮上搬送装置。
【請求項７】
前記旋回流形成部が、前記気体の噴射力を択一的に選択可能な別部品として前記搬送路面に着脱自在に取り付けられていることを特徴とする請求項３乃至請求項６のいずれか１つに記載の非接触式浮上搬送装置。
【発明の詳細な説明】
【技術分野】
【０００１】
本発明は、旋回流を発生させる旋回流形成部が被搬送物を搬送する搬送路面に配設され、この旋回流により被搬送物を浮上させながら被搬送物に対する駆動力を発生させて被搬送物を完全な非接触状態にて浮上搬送させる非接触式浮上搬送装置に関するものであって、特に、太陽電池用フラットパネルや携帯電話、液晶テレビ、パソコン用液晶モニターなどに用いるディスプレイ用ガラス基板からなる被搬送物を浮上搬送する非接触式浮上搬送装置に関するものである。
【背景技術】
【０００２】
従来、非接触搬送装置として、表面から裏面に貫通する横断面円形の貫通孔を有するリング状部材の裏面に噴出口を備え、この噴出口から空気を噴出させることにより、このリング状部材の表面側にこの表面から離れる方向へ向かう旋回流を生じさせるとともに、このリング状部材の表面側の貫通孔の開口部近傍に裏面方向への空気の流れを生じさせる旋回流形成体を、基台フレームの搬送面に２個以上備えて、液晶用ガラスなどからなる被搬送物の浮上高さ精度を高く維持しつつ接触式の駆動機構を用いて被搬送物を浮上搬送させる非接触搬送装置が知られている（特許文献１および特許文献２参照）。
【先行技術文献】
【特許文献】
【０００３】
【特許文献１】特許５２３７３５７号公報（特に、第３頁第６〜７段落、図１、図２を参照）
【特許文献２】国際公開ＷＯ２０１０／００４８００号公報（特に、請求項１、図３参照）
【発明の概要】
【発明が解決しようとする課題】
【０００４】
しかしながら、上述した従来の非接触搬送装置では、搬送面上における被搬送物の回動やふらつきを回避して浮上高さ精度を保つように、旋回流形成体の旋回流の旋回方向が互いに変わるように搬送方向に複数配列することにより、それぞれの旋回流形成体から搬送面上に送り出された旋回流の旋回力を意図的に相殺させるとともに被搬送物の底面と搬送面との間隙に旋回流を送り続けて介在させた浮上状態を呈するものの、この浮上している被搬送物を搬送方向へ搬送させるためには、別途、摩擦コロやベルトなどの接触式の駆動機構を用いて被搬送物に搬送するための駆動力を与えて搬送する必要があり、このような接触式の駆動機構を付設すると搬送装置としての全体的装置構成やその駆動制御が複雑となるという問題があった。
【０００５】
そこで、本発明は、前述したような従来技術の問題を解決するものであって、すなわち、本発明の目的は、旋回流の旋回力を活用して接触式の駆動機構を付設することなく簡便な装置構成で被搬送物を完全なる非接触状態で浮上させながら搬送する非接触式浮上搬送装置を提供することである。
【課題を解決するための手段】
【０００６】
本請求項１に係る発明は、気体からなる旋回流を発生させる旋回流形成部が被搬送物を搬送する平坦な搬送路面に配設され、前記旋回流形成部から順次溢出してくる旋回流を被搬送物の底面と搬送路面との間隙に介在させて被搬送物を浮上させるとともに前記旋回流の旋回力によって生じる搬送力で被搬送物を搬送する非接触式浮上搬送装置であって、前記旋回流形成部が、前記搬送路面の路幅方向で左右相互に離間して一対配設され、前記旋回流形成部でそれぞれ発生する旋回流の旋回方向が、前記搬送路面の路幅方向で相互に逆方向に設定されていることによって、前述した課題を解決するものである。
【０００７】
本請求項２に係る発明は、請求項１に記載された非接触式浮上搬送装置の構成に加えて、前記旋回流形成部が、前記搬送路面の搬送方向で前後相互に離間して複数配設されているとともに、前記旋回流形成部でそれぞれ発生する旋回流の旋回方向が、前記搬送路面の搬送方向で相互に同一方向に設定されていることによって、前述した課題を解決するものである。
【０００８】
本請求項３に係る発明は、請求項１または請求項２に記載された非接触式浮上搬送装置の構成に加えて、前記旋回流形成部が、前記搬送路面下に設けられて搬送路面上に開口する有底の周側壁と、該周側壁の接線方向から周側壁で囲繞される旋回形成空間領域内へ前記気体を噴射して旋回流を発生させる気体噴射口とを備えていることにより、前述した課題をさらに解決するものである。
【０００９】
本請求項４に係る発明は、請求項３に記載された非接触式浮上搬送装置の構成に加えて、前記旋回流形成部から搬送路面と被搬送物との間隙に溢出して過剰に滞留する気体を逃す気体解放孔が、前記搬送路面に分散して配設されていることにより、前述した課題をさらに解決するものである。
【００１０】
本請求項５に係る発明は、請求項３または請求項４に記載された非接触式浮上搬送装置の構成に加えて、前記気体の噴射力を調整する噴射力調整手段が、前記気体噴射口に至る気体経路上に設けられていることにより、前述した課題をさらに解決するものである。
【００１１】
本請求項６に係る発明は、請求項５に記載された非接触式浮上搬送装置の構成に加えて、前記搬送路面が、前記搬送方向に向かって上向き傾斜していることによって、前述した課題をさらに解決するものである。
【００１２】
本請求項７に係る発明は、請求項３乃至請求項６のいずれか１つに記載された非接触式浮上搬送装置の構成に加えて、前記旋回流形成部が、前記気体の噴射力を択一的に選択可能な別部品として前記搬送路面に着脱自在に取り付けられていることにより、前述した課題をさらに解決するものである。
【発明の効果】
【００１３】
本発明の非接触式浮上搬送装置は、気体からなる旋回流を発生させる旋回流形成部が被搬送物を搬送する平坦な搬送路面に配設されていることにより、旋回流形成部から順次溢出してくる旋回流を被搬送物の底面と搬送路面との間隙に介在させて被搬送物を浮上させることができるばかりでなく、以下のような特有の効果を奏することができる。
【００１４】
本請求項１に係る発明の非接触式浮上搬送装置によれば、旋回流形成部が、搬送路面の路幅方向で左右相互に離間して一対配設され、旋回流形成部でそれぞれ発生する旋回流の旋回方向が、搬送路面の路幅方向で相互に逆方向に設定されていることにより、左右一対の旋回流形成部で被搬送物に作用して搬送方向の前方域に向かう旋回流作用力と搬送方向の後方域に向かう旋回流作用力との相対的な差に基づいて被搬送物の搬送方向が方向付けされるため、旋回流の旋回力を活用して接触式の駆動機構を付設することなく簡便な装置構成で、非接触状態で被搬送物を搬送方向の前方域へ向かって浮上させつつ搬送することができる。
すなわち、左右一対の旋回流形成部が配置された搬送路面の搬送方向に沿った中央部分側では、双方の旋回流が逃げ場を失って相互に干渉したり乱れたりしてそれぞれ旋回流の旋回力が相互に減殺されるが、左右一対の旋回流形成部における路幅方向の両外側では、旋回流の旋回力が相互に減殺されず、その結果、左右一対の旋回流形成部の相互間で搬送方向の後方域へ作用する旋回流作用力に対して、左右一対の旋回流形成部における路幅方向の両外側で搬送方向の前方域へ作用する旋回流作用力が相対的に大きくなり、被搬送物に対して面摩擦によって伝わる力は、搬送方向の後方域へ向かって作用する旋回流作用力よりも搬送方向の前方域へ向かって作用する旋回流作用力の方が大きくなるため、接触式の駆動機構を付設することなく非接触状態で被搬送物を搬送方向の前方域へ向かって搬送させることができる。
【００１５】
また、旋回流形成部内で連続的に発生する旋回流が旋回流形成部から被搬送物側に向かって搬送路面上に溢出すると、この溢出した旋回流の遠心力によって旋回流の旋回半径が拡大して、旋回流の中心近傍部分に生じる気圧が旋回流の旋回部分に生じる気圧と比べて相対的に低くなり、この低くなった気圧が被搬送物に負圧として作用することにより、被搬送物を旋回流形成部側へ吸引して引き寄せようとする力と被搬送物を溢出した旋回流で浮上させようとする力とが釣り合った被搬送物の浮上位置に被搬送物を保持するため、被搬送物を安定させた浮上支持状態で旋回流作用力による搬送力を確実に被搬送物へ伝えることができる。
すなわち、単に、搬送方向へ気体の力を被搬送物に対して付加しているのではなく、被搬送物を旋回流形成部側へ吸引して引き寄せようとする力が作用している状態で前述した旋回流作用力を被搬送物に対して付加しているため、確実に旋回流作用力による搬送力を被搬送物へ伝えることができる。
【００１６】
本請求項２に係る発明の非接触式浮上搬送装置によれば、請求項１に係る発明が奏する効果に加えて、旋回流形成部が、搬送路面の搬送方向で前後相互に離間して複数配設されているとともに、旋回流形成部でそれぞれ発生する旋回流の旋回方向が、搬送路面の搬送方向で相互に同一方向に設定されていることにより、搬送方向に配列された複数組の旋回流形成部で生じた旋回流のそれぞれが被搬送物に対して搬送方向への旋回流作用力を作用するため、搬送力をより一段と大きくすることができる。
【００１７】
本請求項３に係る発明の非接触式浮上搬送装置によれば、請求項１または請求項２に係る発明が奏する効果に加えて、旋回流形成部が、搬送路面下に設けられて搬送路面上に開口する有底の周側壁と、この周側壁の接線方向から周側壁で囲繞される旋回形成空間領域内へ気体を噴射して旋回流を発生させる気体噴射口とを備えていることにより、簡単でコンパクトな構成で旋回流が形成されるため、モータなどの回転構造を不要として非接触式浮上搬送装置を簡素化することができる。
【００１８】
本請求項４に係る発明の非接触式浮上搬送装置によれば、請求項３に係る発明が奏する効果に加えて、旋回流形成部から搬送路面と被搬送物との間隙に溢出して過剰に滞留する気体を逃す気体解放孔が、搬送路面に分散して配設されていることにより、この気体解放孔が過剰に滞留する気体の逃げ場となり、旋回流形成部から順次溢出してくる気体の流れが妨げられないため、気体解放孔が設けられていないときと比べて搬送方向の前方域および後方域へ向かって作用する旋回流作用力を大きくするとともにその差も大きくして搬送力を増加させることができる。
【００１９】
本請求項５に係る発明の非接触式浮上搬送装置によれば、請求項３または請求項４に係る発明が奏する効果に加えて、気体の噴射力を調整する噴射力調整手段が、気体噴射口に至る気体経路上に設けられていることにより、搬送方向の前方域へ向かって作用する旋回流作用力の大きさが可変自在となるため、被搬送物に及ぼす搬送力の増減により搬送速度を調整することができる。
【００２０】
本請求項６に係る発明の非接触式浮上搬送装置によれば、請求項５に係る発明が奏する効果に加えて、搬送路面が、搬送方向に向かって上向き傾斜されていることにより、噴射力調整手段による噴射力の増加調整に伴って被搬送物の重力に抗して被搬送物を上り搬送させるとともに噴射力調整手段による噴射力の減少調整に伴って被搬送物の重力に抗し切れずに被搬送物を下り搬送させることができる。
すなわち、重力により搬送路面の傾斜を下る方向の力が被搬送物に作用し、気体噴射口からの噴射を開始して旋回流を発生させる、または噴射する気体の圧力を高くしたり気体噴射口の口径を大きくして旋回流を強めることで下る方向の力と比べて搬送力の方が大きい関係となるため、傾斜を上るように被搬送物を移動させることができる。
また、気体噴射口から噴射する気体の圧力を無にして旋回流を無くす、または噴射する気体の圧力を低くしたり気体噴射口の口径を小さくして旋回流を弱めることで搬送力と比べて下る方向の力の方が大きな関係となるため、傾斜を下るように搬送物を移動させることができる。
【００２１】
本請求項７に係る発明の非接触式浮上搬送装置によれば、請求項３乃至請求項６のいずれか１つに係る発明が奏する効果に加えて、旋回流形成部が気体の噴射力を択一的に選択可能な別部品として搬送路面に着脱自在に取り付けられていることにより、旋回流形成部を付け替えるだけで旋回流による旋回力の強さが変更可能となるため、バルブなどの噴射力調整手段を用いることなく搬送方向への旋回流作用力を調整して搬送力を任意に調整することができるばかりでなく、旋回流形成部の素材や製作加工の選択肢を多様化させることができる。
【図面の簡単な説明】
【００２２】
【図１】本発明の第１実施例の非接触式浮上搬送装置を示す斜視図。
【図２】図１の符号２の箇所の旋回流形成部を示す拡大斜視図。
【図３】本発明の旋回流形成部による旋回流および下方へ引き寄せようとする力が発生する原理を示す図。
【図４】図１の符号４から視た拡大平面図であって第１実施例において搬送力が発生する原理を示す図。
【図５】本発明の第２実施例の非接触式浮上搬送装置を示す斜視図。
【図６】図５の符号６から視た平面図。
【図７】本発明の第３実施例の旋回流形成部の配置を示す平面図。
【図８】（Ａ）（Ｂ）は本発明の第４実施例の非接触式浮上搬送装置を示す側面図。
【発明を実施するための形態】
【００２３】
本発明は、気体からなる旋回流を発生させる旋回流形成部が被搬送物を搬送する平坦な搬送路面に配設され、旋回流形成部から順次溢出してくる旋回流を被搬送物の底面と搬送路面との間隙に介在させて被搬送物を浮上させるとともに旋回流の旋回力によって生じる搬送力で被搬送物を搬送する非接触式浮上搬送装置であって、旋回流形成部が搬送路面の路幅方向で左右相互に離間して一対配設され、旋回流形成部でそれぞれ発生する旋回流の旋回方向が搬送路面の路幅方向で相互に逆方向に設定されていることにより、左右一対の旋回流形成部にそれぞれ設定された旋回流の旋回方向が、左右一対の旋回流形成部で被搬送物に作用して搬送方向の前方域に向かう旋回流作用力と搬送方向の後方域に向かう旋回流作用力との相対的な差に基づいて被搬送物の搬送方向を方向付けして、旋回流の旋回力を活用して接触式の駆動機構を付設することなく簡便な装置構成で被搬送物を非接触状態で浮上させながら搬送するものであれば、その具体的な実施態様は、如何なるものであっても構わない。
【００２４】
すなわち、本発明で採用する旋回流形成部の具体的な実施態様については、穿孔加工や切削加工などにより搬送路面を構成するベース部自体に直接形成されていても良いが、樹脂加工などによるチップ状の成型品等、搬送路面を構成するベース部と別体に形成されていても良く、旋回流形成部がベース部と別体に形成されている場合には、旋回流形成部の素材や製作加工の選択肢を多様化させることができるので、より好ましい。
また、旋回流形成部の具体的な構造については、空気などの気体から旋回流を形成するものであれば如何なるものであっても何ら構わない。例えば、旋回流形成部の気体噴射口から噴射された気体が、旋回方向へ案内する案内凹所の深さ３〜１０ｍｍ程度の周側壁に沿って流れることで旋回流を形成するものでもよい。平面視の案内凹所の形状としては如何なるものであっても何ら構わない。この案内凹所の具体的な形状は、例えば、円形状、環状、楕円形状、多角形状、円形状に切り欠き部が形成された形状などでも良く、更に具体的には、鍔付きの円形カップ状のものがより好ましい。
また、周側壁を備えた案内凹所内に吸気口とファンとを設けて、ファンが回転することで周側壁で囲繞された案内凹所内から上方へ向かう旋回流を形成するものでも良い。
そして、本発明における旋回流形成部の具体的な配列形態については、前述したように、左右一対の旋回流形成部にそれぞれ設定された旋回流の旋回方向が、左右一対の旋回流形成部で被搬送物に作用して搬送方向の前方域に向かう旋回流作用力と搬送方向の後方域に向かう旋回流作用力との相対的な差に基づいて被搬送物の搬送方向を方向付けし、旋回流の旋回力を活用して被搬送物を浮上させつつ搬送させることが可能な浮上搬送機構を構築するものであれば如何なる配列形態であっても良い。旋回流形成部が、搬送路面の路幅方向で左右相互に離間して一対のみ配設された配列形態、あるいは、搬送路面の路幅方向で左右相互に離間して一対配設されるとともに搬送路面の搬送方向で前後相互に離間して複数配設された配列形態のいずれであっても何ら構わない。
さらに、本発明では、搬送路面の路幅方向で左右相互に離間する一対の旋回流形成部が、搬送方向で同じ位置関係で配列されても良く、搬送方向で互いにずれた位置関係で配列されても良い。
そして、本発明における搬送路面は、平坦であることが重要であり、この平坦な搬送路面の加工精度が高ければ被搬送物のより安定した搬送状態が得られることは言うまでもない。また、必要に応じて、旋回流形成部から放出された気体が路幅方向の両側縁から過度に漏出することを抑制するとともに被搬送物を搬送方向へ誘導規制するために、ガイド板を搬送路面の両側縁に設けるのも良い。
なお、本発明の非接触式浮上搬送装置によって浮上搬送させる被搬送物としては、例えば、ガラス、プラスチック、金属などの素材からなる薄板状のものであり、特に好適な被搬送物としては、太陽電池用フラットパネルや携帯電話、液晶テレビ、パソコン用液晶モニターなどに用いる０．１乃至０．５ｍｍ程度のディスプレイ用ガラス基板である。
【実施例１】
【００２５】
以下に、本発明の第１実施例である非接触式浮上搬送装置１００について、図１乃至図４に基づいて説明する。
ここで、図１は、本発明の第１実施例の非接触式浮上搬送装置１００を示す斜視図であり、図２は、図１の符号２の箇所の旋回流形成部１３０Ａを示す拡大斜視図であり、図３は、本発明の旋回流形成部１３０Ａ、１３０Ｂによる旋回流Ｒおよび下方へ引き寄せようとする力Ｄが発生する原理を示す図であり、図４は、図１の符号４から視た拡大平面図であって第１実施例において搬送力が発生する原理を示す図である。
【００２６】
本発明の第１実施例である非接触式浮上搬送装置１００は、図１乃至図４に示すように、気体からなる旋回流Ｒを発生させる旋回流形成部１３０Ａ、１３０Ｂが、例えば、０．３ｍｍ程度のディスプレイ用ガラス基板からなる薄板状の被搬送物Ｃを搬送する平坦な搬送路面１１１に配設され、旋回流形成部１３０Ａ、１３０Ｂから順次溢出してくる旋回流Ｒを被搬送物Ｃの底面と搬送路面１１１との間隙に介在させて被搬送物Ｃを浮上させるとともに旋回流Ｒの旋回力によって生じる搬送力で被搬送物Ｃを搬送するように構成されている。
具体的に、非接触式浮上搬送装置１００は、ベース部１１０と、このベース部１１０と支持する機台フレーム１２０とを備えている。
そして、ベース部１１０における被搬送物Ｃと対向する搬送路面１１１には、樹脂成型加工してなる鍔付きの円形カップ状の旋回流形成部１３０Ａ、１３０Ｂが、搬送路面１１１の路幅方向Ｓで左右相互に離間して一対、すなわち、一組のみ配設されている。
本実施例では、旋回流形成部１３０Ａ、１３０Ｂが、搬送路面下に設けられて搬送路面上に開口する有底の案内凹所１３１の周側壁１３１ａと、この周側壁１３１ａの接線方向から周側壁１３１ａで囲繞される旋回形成空間領域内へ気体としての空気を噴射して旋回流Ｒを発生させる気体噴射口１３２とを備えている。
図２に示すように、旋回流形成部１３０Ａ（１３０Ｂ）は、空気を旋回方向へ案内する案内凹所１３１と、この案内凹所１３１を囲繞する円筒状の周側壁１３１ａに沿って空気をそれぞれ噴射する２つの気体噴射口１３２とを有している。
本実施例の場合には、これら２つの気体噴射口１３２が、案内凹所１３１を囲繞する円筒状の周側壁１３１ａを２分する位置に設けられており、旋回流Ｒを確実かつ安定して発生させるようになっている。
【００２７】
そして、このように構成された旋回流形成部１３０Ａ、１３０Ｂが、旋回流Ｒを搬送路面１１１と被搬送物Ｃとの間に溢出することにより、被搬送物Ｃを、例えば０．０５ｍｍ程度浮上させている。
ここで、旋回流形成部１３０Ａの構造と、旋回流形成部１３０Ｂの構造との関係は、旋回流形成部１３０Ａおよび１３０Ｂ間のＴ軸方向（被搬送物Ｃの搬送方向）の仮想中心線を基準とした線対称の関係であり、旋回流形成部１３０Ａ、１３０Ｂでそれぞれ発生する旋回流Ｒａ、Ｒｂ（図４参照）の旋回方向が、搬送路面１１１の路幅方向Ｓで相互に逆方向に設定されている。
なお、本実施例では、旋回流形成部１３０Ａ、１３０Ｂを構成する樹脂成型加工してなる鍔付きの円形カップ状の部材は、ベース部１１０と別部材で形成されてベース部１１０に嵌め込まれているが、ベース部１１０自体に一体的に形成されていてもよい。
また、機台フレーム１２０は、水平方向に対するベース部１１０の姿勢を調整自在に設けられ、本実施例では、ベース部１１０の搬送路面１１１の設置姿勢が水平となるように調整されている。
【００２８】
ここで、先ず、図３を用いて、旋回流形成部１３０Ａ（１３０Ｂ）から放出される旋回流Ｒ、および、被搬送物Ｃを下方の旋回流形成部１３０Ａ（１３０Ｂ）側へ引き寄せようとする力Ｄがそれぞれ発生する原理について説明する。
前述した旋回流形成部１３０Ａ（１３０Ｂ）の気体噴射口１３２から空気が噴射されると、噴射された空気が案内凹所１３１の周側壁１３１ａに沿って流れ、案内凹所１３１内で旋回流Ｒが連続的に継続して形成される。
そして、空気が、気体噴射口１３２から順次噴射されるので、案内凹所１３１内から連続的に発生してくる旋回流Ｒは、被搬送物Ｃ側に向かって上方へ移動し溢出する。
この際、旋回流Ｒが案内凹所１３１の周側壁１３１ａから上方へ移動し、案内凹所１３１の周側壁１３１ａから離れるため、溢出した旋回流Ｒの遠心力により旋回流Ｒの旋回半径が旋回流Ｒの旋回中心を基準に拡大する。
つまり、旋回流Ｒが放射方向へ広がりながら旋回する。
そして、旋回流Ｒの旋回中心近傍の空気が放射方向へ引っ張られるようにして、旋回流Ｒの旋回中心近傍の気圧が下がり旋回流Ｒの旋回部分に生じる気圧と比べて相対的に低くなる。
そのため、被搬送物Ｃに対して負圧が作用して被搬送物Ｃを下方の旋回流形成部１３０Ａ（１３０Ｂ）側へ吸引して引き寄せようとする力Ｄが発生する。
この引き寄せようとする力Ｄと被搬送物Ｃを溢出した旋回流Ｒで浮上させようとする力とが釣り合って、被搬送物の浮上位置に被搬送物が保持される。
【００２９】
続いて、図４を用いて、第１実施例において搬送力が発生する原理について説明する。
本実施例では、旋回流形成部１３０Ａ、１３０Ｂが、搬送路面１１１の路幅方向Ｓで左右相互に離間して一対配設されている。
なお、Ｕ軸が示すのは、浮上方向（鉛直方向）である。
さらに、旋回流形成部１３０Ａ、１３０Ｂでそれぞれ発生する旋回流Ｒａ、Ｒｂの旋回方向が、搬送路面１１１の路幅方向Ｓで相互に逆方向に設定されている。
これにより、左右一対の旋回流形成部１３０Ａ、１３０Ｂで被搬送物Ｃに作用して搬送方向Ｔの前方域に向かう旋回流作用力Ｆ２と搬送方向Ｔの後方域に向かう旋回流作用力Ｆ１との相対的な差に基づいて被搬送物Ｃの搬送方向Ｔが方向付けされ、その方向に搬送力が発生する。
以下により、具体的に説明する。
【００３０】
ここで、図４中の左側の旋回流形成部１３０Ａの旋回流Ｒａが案内凹所１３１外に出た際、Ｔ軸矢印の方向と逆方向に作用する旋回流Ｒａの旋回流作用力をｆａ１、Ｔ軸矢印の方向に作用する旋回流Ｒａの旋回流作用力をｆａ２とする。
同様に、図４中の右側の旋回流形成部１３０Ｂの旋回流Ｒｂが案内凹所１３１外に出た際、Ｔ軸矢印の方向と逆方向に作用する旋回流Ｒｂの旋回流作用力をｆｂ１、Ｔ軸矢印の方向に作用する旋回流Ｒｂの旋回流作用力をｆｂ２とする。
そして、ｆａ１、ｆｂ１の和であり、搬送方向Ｔの後方域（Ｔ軸矢印の方向と逆方向域）へ作用する旋回流作用力をＦ１とし、ｆａ２、ｆｂ２の和であり、搬送方向Ｔの前方域（Ｔ軸矢印の方向域）へ作用する旋回流作用力をＦ２とする。
【００３１】
このとき、配置された左右一対の旋回流形成部１３０Ａ、１３０Ｂに挟まれた搬送路面１１１の搬送方向Ｔに沿った中央部分側１１１ａでは、双方の旋回流Ｒａ、Ｒｂが逃げ場を失って相互に干渉したり乱れたりしてそれぞれ旋回流Ｒａ、Ｒｂの旋回力、すなわち、旋回流作用力ｆａ１、ｆｂ１が減殺される。
他方、左右一対の旋回流形成部１３０Ａ、１３０Ｂにおける路幅方向の両外側１１１ｂでは、双方の旋回流Ｒａ、Ｒｂが相互に干渉したりしないため、旋回流Ｒａ、Ｒｂの旋回力、すなわち、旋回流作用力ｆａ２、ｆｂ２が減殺されない。
その結果、左右一対の旋回流形成部１３０Ａ、１３０Ｂの相互間で搬送方向Ｔの後方域へ作用する旋回流Ｒａ、Ｒｂの旋回流作用力Ｆ１に対して、左右一対の旋回流形成部１３０Ａ、１３０Ｂの路幅方向の両外側１１１ｂで搬送方向Ｔの前方域へ作用する旋回流Ｒａ、Ｒｂの旋回流作用力Ｆ２が相対的に大きくなる。
さらに、被搬送物Ｃを吸引して下方の旋回流形成部１３０Ａ、１３０Ｂ側へそれぞれ引き寄せようとする力Ｄに起因して生じる面摩擦によって被搬送物Ｃに伝わる力は、搬送方向Ｔの後方域へ向かって作用する旋回流Ｒａ、Ｒｂの旋回流作用力Ｆ１よりも搬送方向Ｔの前方域へ向かって作用する旋回流Ｒａ、Ｒｂの旋回流作用力Ｆ２の方が大きくなる。
【００３２】
したがって、搬送力を受けて被搬送物Ｃは、Ｔ軸の矢印方向へ移動する。
つまり、左右一対の旋回流形成部１３０Ａ、１３０Ｂが、旋回流Ｒａ、Ｒｂの旋回力を活用して被搬送物Ｃを非接触で浮上させつつ搬送する。
この際、ただ単に、搬送する方向へ空気の力を被搬送物Ｃに対して付加しているのではなく、上述した負圧による引き寄せようとする力Ｄが被搬送物Ｃに対して作用した状態で、搬送する方向への旋回流作用力Ｆ１、Ｆ２を付加しているため、旋回流作用力Ｆ１、Ｆ２の相対的な差として搬送力が被搬送物Ｃへ確実に伝えられる。
【００３３】
さらに、本実施例では、旋回流形成部１３０Ａ、１３０Ｂから搬送路面１１１と被搬送物Ｃとの間隙に溢出して過剰に滞留する空気を逃す気体解放孔１５０が、搬送路面１１１に分散して配設されている。
これにより、気体解放孔１５０が過剰に滞留する空気の逃げ場となり、旋回流形成部１３０Ａ、１３０Ｂから順次溢出してくる空気の流れが妨げられない。
つまり、気体解放孔１５０が設けられていない構成と比べて搬送方向Ｔの前方域および後方域へ向かって作用する旋回流Ｒａ、Ｒｂの旋回流作用力を大きくするとともにその相対的な差も大きくして搬送力を増加させる。
また、本実施例では、旋回流形成部１３０Ａ、１３０Ｂが、空気の噴射力を択一的に選択可能な別部品として搬送路面１１１に着脱自在に取り付けられている。
これにより、旋回流形成部１３０Ａ、１３０Ｂを付け替えるだけで旋回流Ｒによる旋回力の強さが変更可能となる。
例えば、気体噴射口１３２の孔の大きさが変わることにより、旋回流Ｒによる旋回力の強さが変わり、被搬送物Ｃの搬送速度を自在に調整することが可能となる。
【００３４】
このようにして得られた本発明の第１実施例である非接触式浮上搬送装置１００は、旋回流形成部１３０Ａ、１３０Ｂが、搬送路面１１１の路幅方向Ｓで左右相互に離間して一対配設され、旋回流形成部１３０Ａ、１３０Ｂでそれぞれ発生する旋回流Ｒａ、Ｒｂの旋回方向が、搬送路面１１１の路幅方向Ｓで相互に逆方向に設定されていることにより、一対の旋回流形成部１３０Ａ、１３０Ｂが、旋回流Ｒａ、Ｒｂの旋回力を活用して接触式の駆動機構を付設することなく簡便な装置構成で、被搬送物Ｃを非接触状態で浮上させながら搬送することができ、被搬送物Ｃを安定させた浮上支持状態で旋回流作用力Ｆ１、Ｆ２による搬送力（Ｆ１とＦ２との相対的な差）を確実に被搬送物へ伝えることができる。
【００３５】
また、旋回流形成部１３０Ａ、１３０Ｂが、搬送路面下に設けられて搬送路面上に開口する有底の周側壁１３１ａと、この周側壁１３１ａの接線方向から周側壁１３１ａで囲繞される旋回形成空間領域内へ空気を噴射して旋回流Ｒａ、Ｒｂを発生させる気体噴射口１３２とを備えていることにより、モータなどの回転構造を不要として非接触式浮上搬送装置１００を簡素化することができる。
さらに、旋回流形成部１３０Ａ、１３０Ｂから搬送路面１１１と被搬送物Ｃとの間隙に溢出して過剰に滞留する空気を逃す気体解放孔１５０が、搬送路面１１１に分散して配設されていることにより、気体解放孔１５０が設けられていない構成と比べて搬送方向Ｔの前方域および後方域へ向かって作用する旋回流Ｒａ、Ｒｂの旋回流作用力Ｆ１、Ｆ２を大きくするとともにその相対的な差も大きくして搬送力を増加させることができる。
【００３６】
また、旋回流形成部１３０Ａ、１３０Ｂが、空気の噴射力を択一的に選択可能な別部品として搬送路面１１１に着脱自在に取り付けられていることにより、バルブなどの噴射力調整手段を用いることなく搬送方向Ｔへの旋回流作用力Ｆ１、Ｆ２を調整して搬送力を調整することができるなど、その効果は甚大である。
【実施例２】
【００３７】
続いて、本発明の第２実施例である非接触式浮上搬送装置２００について、図５および図６に基づいて説明する。
ここで、図５は、本発明の第２実施例の非接触式浮上搬送装置２００を示す斜視図であり、図６は、図５の符号６から視た平面図である。
第２実施例の非接触式浮上搬送装置２００は、第１実施例の非接触式浮上搬送装置１００の旋回流形成部１３０Ａ、１３０Ｂの配置数および配列形態を変更したものであり、多くの要素について第１実施例の非接触式浮上搬送装置１００と共通するので、共通する事項については詳しい説明を省略し、下２桁が共通する２００番台の符号を付すのみとする。
【００３８】
本発明の第２実施例である非接触式浮上搬送装置２００では、図５および図６に示すように、旋回流形成部２３０Ａおよび旋回流形成部２３０Ｂが、搬送路面２１１の路幅方向Ｓで左右相互に離間して一対配設されているとともに搬送路面２１１の搬送方向Ｔで前後相互に離間して複数配設されている。
さらに、旋回流形成部２３０Ａ、２３０Ｂでそれぞれ発生する旋回流Ｒａ、Ｒｂの旋回方向が、搬送路面２１１の路幅方向Ｓで相互に逆方向に設定されているとともに搬送路面２１１の搬送方向Ｔで相互に同一方向に設定されている。
これにより、上述した第１実施例と同様の効果を得ることができる。
さらに、搬送方向Ｔに配列された複数組の旋回流形成部２３０Ａ、２３０Ｂで生じた旋回流Ｒａ、Ｒｂのそれぞれが被搬送物Ｃに対して搬送方向Ｔへの旋回流作用力Ｆ１、Ｆ２を作用する。そして、旋回流作用力Ｆ１、Ｆ２の相対的な差として搬送力が被搬送物Ｃに作用する。
【００３９】
このようにして得られた本発明の第２実施例である非接触式浮上搬送装置２００は、旋回流形成部２３０Ａ、２３０Ｂが、搬送路面２１１の路幅方向Ｓで左右相互に離間して一対配設されているとともに搬送路面２１１の搬送方向Ｔで前後相互に離間して複数配設され、旋回流形成部２３０Ａ、２３０Ｂでそれぞれ発生する旋回流Ｒａ、Ｒｂの旋回方向が、搬送路面２１１の路幅方向Ｓで相互に逆方向に設定されているとともに搬送路面２１１の搬送方向Ｔで相互に同一方向に設定されていることにより、一対の旋回流形成部２３０Ａ、２３０Ｂが、旋回流Ｒａ、Ｒｂの旋回力を活用して接触式の駆動機構を付設することなく簡便な装置構成で、被搬送物Ｃを非接触状態で浮上させつつ搬送力を発生させて被搬送物Ｃを非接触で搬送することができ、上記第１実施例の構成と比べて搬送力を大きくすることができるなど、その効果は甚大である。
【実施例３】
【００４０】
続いて、本発明の第３実施例である非接触式浮上搬送装置３００について、図７に基づいて説明する。
ここで、図７は、本発明の第３実施例の旋回流形成部３３０Ａ、３３０Ｂの配置を示す平面図である。
第３実施例の非接触式浮上搬送装置３００は、第２実施例の非接触式浮上搬送装置２００の旋回流形成部２３０Ａ、２３０Ｂの配置数および配列形態を変更したものであり、多くの要素について第２実施例の非接触式浮上搬送装置２００と共通するので、共通する事項については詳しい説明を省略し、下２桁が共通する３００番台の符号を付すのみとする。
【００４１】
本発明の第３実施例である非接触式浮上搬送装置３００では、図７に示すように、旋回流形成部３３０Ａおよび旋回流形成部３３０Ｂが、それぞれ搬送方向Ｔに間隔を空けて複数配設されている。
そして、旋回流形成部３３０Ａおよび旋回流形成部３３０Ｂが、搬送方向Ｔに半ピッチずれた位置関係で配設されている。
この場合も上述した第２実施例と同様の作用効果を得ることができる。
【実施例４】
【００４２】
続いて、本発明の第４実施例である非接触式浮上搬送装置４００について、図８（Ａ）および図８（Ｂ）に基づいて説明する。
ここで、図８（Ａ）は、本発明の第４実施例の気体噴射口４３２から噴射する空気の噴射力が所定の噴射力より高いときの非接触式浮上搬送装置４００を示す側面図であり、図８（Ｂ）は、噴射する空気の噴射力が所定の噴射力より低いときの非接触式浮上搬送装置４００を示す側面図である。
ここで、「所定の噴射力」とは、重力により被搬送物Ｃに作用する搬送方向前方４１１ｂから搬送方向後方４１１ａへの下り方向の力と、旋回流作用力により被搬送物Ｃに作用する搬送方向後方４１１ａから搬送方向前方４１１ｂへの上り方向の力とが釣り合うときの気体（空気）の噴射力をいう。
【００４３】
第４実施例の非接触式浮上搬送装置４００は、第１実施例の非接触式浮上搬送装置１００のベース部１１０を水平方向に対して傾けたものであり、多くの要素について第１実施例の非接触式浮上搬送装置１００と共通するので、共通する事項については詳しい説明を省略し、下２桁が共通する４００番台の符号を付すのみとする。
【００４４】
本発明の第４実施例である非接触式浮上搬送装置４００では、図８（Ａ）および図８（Ｂ）に示すように、搬送路面４１１が、搬送方向Ｔに向かって上向き傾斜されている。
具体的には、ベース部４１０が水平方向Ｈに対して傾けられ、搬送路面４１１の搬送方向後方４１１ａが、搬送路面４１１の搬送方向前方４１１ｂより低く設けられている。
したがって、重力により搬送方向前方４１１ｂから搬送方向後方４１１ａへの下り方向の力が被搬送物Ｃに作用する。
【００４５】
また、旋回流形成部４３０Ａ、４３０Ｂの気体噴射口４３２から噴射する空気の圧力を調整するコンプレッサーやバルブなどの噴射力調整手段４７０が、気体噴射口４３２に至る気体経路上に設けられている。
これにより、搬送方向Ｔの前方域へ向かって作用する旋回流作用力の大きさが調整される。
さらに、噴射力調整手段４７０による噴射力の増加調整に伴って被搬送物Ｃの重力に抗して被搬送物Ｃを上り搬送させることが可能であるとともに噴射力調整手段４７０による噴射力の減少調整に伴って被搬送物Ｃの重力に抗し切れずに被搬送物Ｃを下り搬送させるようにも構成されている。
【００４６】
より詳しく説明すると、図８（Ａ）に示すように、噴射力調整手段４７０により気体噴射口４３２から噴射する空気の噴射力を所定の噴射力より高くして旋回流Ｒを強めることで重力による下り方向の力と比べて搬送力の方が大きな関係となる。
したがって、被搬送物Ｃが、傾斜を登坂するように移動する。
【００４７】
また、図８（Ｂ）に示すように、噴射力調整手段４７０により気体噴射口４３２から噴射する空気の噴射力を所定の噴射力より低くして旋回流Ｒを弱めることで重力による下り方向の力と比べて搬送力の方が小さくなっている。
したがって、被搬送物Ｃが、傾斜を下るように移動する。
なお、噴射力調整手段４７０により、気体噴射口４３２から噴射する空気の圧力の高低を変化させて噴射力を調整したが、気体噴射口の口径の大小を変化させることで空気の量の多少を変化させて噴射力を調整したり、噴射の有無を切り替え噴射力を調整しても同様の作用効果を得ることができる。
【００４８】
また、本実施例では、噴射力調整手段４７０による噴射力の増加調整に伴って被搬送物Ｃの重力に抗して被搬送物Ｃを上り搬送させる構成である。
これにより、搬送方向後方４１１ａから搬送方向前方４１１ｂへ傾斜を登坂するように移動させる際に常に重力により搬送方向前方４１１ｂから搬送方向後方４１１ａへ下る方向の力が減速効果として被搬送物Ｃに作用する。
つまり、被搬送物Ｃに対する速度制御が容易になる。
【００４９】
このようにして得られた本発明の第４実施例である非接触式浮上搬送装置４００は、空気の噴射力を調整する噴射力調整手段４７０が、気体噴射口４３２に至る気体経路上に設けられていることにより、被搬送物Ｃへ搬送力を調整して搬送速度を調整することができる。
【００５０】
さらに、搬送路面４１１が、搬送方向Ｔに向かって上向き傾斜されていることにより、噴射力調整手段４７０による噴射力の増加調整に伴って被搬送物Ｃの重力に抗して被搬送物Ｃを上り搬送させるとともに噴射力調整手段４７０による噴射力の減少調整に伴って被搬送物Ｃの重力に抗し切れずに被搬送物Ｃを下り搬送させることができるなど、その効果は甚大である。
【符号の説明】
【００５１】
１００、  ２００、  ３００、  ４００  ・・・非接触式浮上搬送装置
１１０、  ２１０、  ３１０、  ４１０  ・・・ベース部
１１１、  ２１１、  ３１１、  ４１１  ・・・搬送路面
４１１ａ・・・搬送方向後方
４１１ｂ・・・搬送方向前方
１２０、  ２２０    ３２０            ・・・機台フレーム
１３０Ａ、２３０Ａ、３３０Ａ、４３０Ａ・・・旋回流形成部
１３０Ｂ、２３０Ｂ、３３０Ｂ、４３０Ｂ・・・旋回流形成部
１３１、  ２３１、  ３３１、  ４３１  ・・・案内凹所
１３２                        ４３２  ・・・気体噴射口
１５０、  ２５０                      ・・・気体解放孔
４７０  ・・・噴射力調整手段
Ｃ              ・・・被搬送物
Ｄ              ・・・下方へ引き寄せようとする力
Ｆ１            ・・・搬送方向の後方域へ作用する旋回流作用力
ｆａ１、ｆａ２  ・・・一方の旋回流による旋回流作用力
Ｆ２            ・・・搬送方向の前方域へ作用する旋回流作用力
ｆｂ１、ｆｂ２  ・・・他方の旋回流による旋回流作用力
Ｈ              ・・・水平方向
Ｒ              ・・・旋回流
Ｓ              ・・・路幅方向
Ｔ              ・・・搬送方向
Ｕ              ・・・浮上方向
【図１】
2015162487.tif 000003
【図２】
2015162487.tif 000004
【図３】
2015162487.tif 000005
【図４】
2015162487.tif 000006
【図５】
2015162487.tif 000007
【図６】
2015162487.tif 000008
【図７】
2015162487.tif 000009
【図８】
2015162487.tif 000010